(57)【要約】【課題】  集積回路内蔵記憶媒体から情報を読取る読取装置を設置し、該集積回路内蔵記憶媒体から読取った情報に基づく遊技媒体貸出し制御にも対処可能にする。【解決手段】  貸出処理機１０４は、スライド機構によって、装置本体の前面部１０４１からその前方にスライド可能に該貸出処理機１０４の装置本体内に収容される突出部３０を有する。突出部３０の前方へ突出させた際に装置本体外に露出する面のうち、遊技台側の側面には、ＩＣ付携帯電話端末７０がかざされると内蔵ＩＣからチャージ残額情報、端末ＩＤを含む情報を読取るＩＣ内蔵記憶媒体読取部３０１と、テンキー３０３１及び操作指示ボタン３０３２から成る操作部３０３が設けられる。また、突出部３０の前面部には、情報表示ＬＥＤ３０２１及びモード表示ランプ３０２２から成る表示部３０２が設けられる。【選択図】  図８
2009261460.tif 000002
【特許請求の範囲】
【請求項１】
遊技台の台間に設けられ、対応する遊技台に対する遊技媒体の貸し出しを制御する遊技媒体貸出処理装置において、
装置本体前面から前方に突出可能に設けられる突出部
を有し、
前記突出部の該突出部を前方に突出させた際に装置本体外に露出する面に設けられ、集積回路内蔵記憶媒体から情報を読取る記憶媒体読取手段と、
前記記憶媒体読取手段により前記集積回路内蔵記憶媒体から読取られた前記情報に基づいて特定される有価価値に対応する遊技媒体の貸し出し制御を行なう貸出制御手段と
を具備する遊技媒体貸出処理装置。
【請求項２】
前記記憶媒体読取手段は、
前記突出部の前記遊技台側の側面に設けられる請求項１記載の遊技媒体貸出処理装置。
【請求項３】
前記突出部は、
前記遊技台側の側面に数字キー及び前記遊技媒体の貸出制御に係わる操作指示ボタンを含む操作部が設けられる請求項２記載の遊技媒体貸出処理装置。
【請求項４】
前記操作部は、
前記突出部の付け根側に設けられる請求項３記載の遊技媒体貸出処理装置。
【請求項５】
前記突出部は、
突出方向に対する前方部分と後方部分とが鉛直方向に延びる回転軸により回転可能に連結され、前方に突出させた状態で前記前方部分が前記回転軸により水平方向に回動可能な構造を有する
請求項１乃至４のいずれか記載の遊技媒体貸出処理装置。
【請求項６】
前記突出部は、
前記遊技媒体の貸出制御に係わる情報の表示部が前面に設けられる請求項１乃至５のいずれか記載の遊技媒体貸出処理装置。
【請求項７】
前記記憶媒体読取手段は、
前記突出部の上面に設けられる請求項１記載の遊技媒体貸出処理装置。
【請求項８】
前記突出部は、
数字キー及び前記遊技媒体の貸出制御に係わる操作指示ボタンを含む操作部を上面に設けると共に、前記遊技媒体の貸出制御に係わる情報の表示部が前面に設けられる請求項７記載の遊技媒体貸出処理装置。
【発明の詳細な説明】
【技術分野】
【０００１】
本発明は、遊技店内の遊技台間に配設され、会員カード等の記憶媒体の他、集積回路内蔵記憶媒体を受け入れて遊技媒体の貸出処理を行う遊技媒体貸出処理装置に係わり、詳しくは、集積回路内蔵記憶媒体から情報を読取る読取部を付加するための構造上の改良に関する。
【背景技術】
【０００２】
パチンコ、スロットマシンなどの遊技機による遊技サービスを提供する遊技店では、遊技機毎に１対１で対応させて台間遊技媒体貸出処理機（台間処理機）を設置し、該台間処理機が遊技客により挿入されたカード（プリペイドカード、あるいは会員カード）からカードＩＤを読み取って貸出操作に伴う貸出要求度数を上位装置である管理装置に通知し、管理装置では通知を受けたカードＩＤに対応して管理している有価価値（残度数）から当該貸出要求数分を減算処理した後、貸出許可を台間処理機に通知し、該通知を受けて台間処理機が遊技媒体（玉、メダル）を貸出す遊技システムが構築されている。
【０００３】
かかる遊技システムに用いられる台間処理機の従来例として、下記特許文献１及び２には、表面に、状態表示ランプ、カードスタック部状態表示ＬＥＤ（Ｌｉｇｈｔ  Ｅｍｉｔｔｉｎｇ  Ｄｉｏｄｅ：ダイオード）、リモコン受発光部、紙幣投入口、カード挿入口、情報表示ＬＥＤ、モード表示ランプ、操作ボタン等を設けた台間処理機が開示されている。
【特許文献１】特開２００７−６１１７０号公報
【特許文献２】特開２００７−１９０１３７号公報
【発明の開示】
【発明が解決しようとする課題】
【０００４】
上述した従来の台間処理機は、前面部の面積が、概ね、高さ８１０ｍｍ、幅４０ｍｍ程度であり、幅が狭く、また、両サイドは遊技台によって挟まれている。
【０００５】
この限られたスペースに、状態表示ランプ、リモコン受光部、紙幣挿入口、カード挿入口、７セグメント×所定桁の表示部、暗証番号入力用のテンキーを含む操作ボタン等の機能部が配置され、更に、特許文献２に示されるような玉投出機能付き台間処理機では、玉投出機構（ノズル）が設けられる。
【０００６】
また、台間処理機の装置本体内の下部域には、電源部も配置されるので、その前面には機能部を設けることが困難である。
【０００７】
上記構成が一般的な台間処理機において、近年、遊技媒体の貸出しのために、現金、プリペイドカード、会員カード以外の媒体の使用が検討されている。
【０００８】
一例としては、情報記憶媒体としてＩＣ（集積回路）チップを備え、該ＩＣチップに金銭データを記憶（チャージ）すると共に、該チャージされた金銭データの残額の中から非接触ＩＣリーダ（記憶媒体読取手段）を介して所定の金額を引き落として買い物等が行なえる非接触ＩＣカード（以下、ＩＣカード）や、ＩＣチップ搭載携帯電話端末（以下、ＩＣ付携帯電話端末）が挙げられる。
【０００９】
また、ＩＣチップを搭載した携帯電話端末を会員カードの代わりに用いる会員管理システムも考案されている。
【００１０】
ＩＣカード、ＩＣ付携帯電話端末等のＩＣ内蔵記憶媒体の使用に当たっては、台間処理機に該ＩＣ内蔵記憶媒体からＩＣチップ内に記憶された情報を読取るＩＣ内蔵記憶媒体読取装置を設ける必要がある。
【００１１】
ＩＣ内蔵記憶媒体読取装置は、ＩＣ内蔵記憶媒体に内蔵されたアンテナを通じて電波により情報を送受する機能構成上、比較的大きな設置スペースを必要とする。
【００１２】
一方で、この種の従来の台間処理機は、上述の如く、装置本体の前面部（表面）には機能部を設ける余分なスペースがないのが現状であり、そのうえ更にＩＣ内蔵記憶媒体読取装置を設けることは極めて困難であった。
【００１３】
本発明は上記問題点を解消し、集積回路内蔵記憶媒体から情報を読取る読取装置を設置し、該集積回路内蔵記憶媒体から読取った情報に基づく遊技媒体貸出し制御にも対処可能な遊技媒体貸出処理装置を提供することを目的とする。
【課題を解決するための手段】
【００１４】
上記目的を達成するために、請求項１記載の遊技媒体貸出処理装置の発明は、遊技台の台間に設けられ、対応する遊技台に対する遊技媒体の貸し出しを制御する遊技媒体貸出処理装置において、装置本体前面から前方に突出可能に設けられる突出部を有し、前記突出部の該突出部を前方に突出させた際に装置本体外に露出する面に設けられ、集積回路内蔵記憶媒体から情報を読取る記憶媒体読取手段と、前記記憶媒体読取手段により前記集積回路内蔵記憶媒体から読取られた前記情報に基づいて特定される有価価値に対応する遊技媒体の貸し出し制御を行なう貸出制御手段とを具備する。
【００１５】
請求項２記載の発明は、上記請求項１記載の発明において、前記記憶媒体読取手段は、前記突出部の前記遊技台側の側面に設けられる。
【００１６】
請求項３記載の発明は、上記請求項２記載の発明において、前記突出部は、前記遊技台側の側面に数字キー及び前記遊技媒体の貸出制御に係わる操作指示ボタンを含む操作部が設けられる。
【００１７】
請求項４記載の発明は、上記請求項３記載の発明において、前記操作部は、前記突出部の付け根側に設けられる。
【００１８】
請求項５記載の発明は、上記請求項１乃至４のいずれか記載の発明において、前記突出部は、突出方向に対する前方部分と後方部分とが鉛直方向に延びる回転軸により回転可能に連結され、前方に突出させた状態で前記前方部分が前記回転軸により水平方向に回動可能な構造を有する。
【００１９】
請求項６記載の発明は、上記請求項１乃至５のいずれか記載の発明において、前記突出部は、前記遊技媒体の貸出制御に係わる情報の表示部が前面に設けられる。
【００２０】
請求項７記載の発明は、上記請求項１記載の発明において、前記記憶媒体読取手段は、前記突出部の上面に設けられる。
【００２１】
請求項８記載の発明は、上記請求項７記載の発明において、前記突出部は、数字キー及び前記遊技媒体の貸出制御に係わる操作指示ボタンを含む操作部を上面に設けると共に、前記遊技媒体の貸出制御に係わる情報の表示部が前面に設けられる。
【発明の効果】
【００２２】
請求項１記載の遊技媒体貸出処理装置の発明によれば、装置本体の一部に前方へ突出可能に設けた突出部の各面を設置スペースとして利用することで、集積回路内蔵記憶媒体から情報を読取る記憶媒体読取手段を含む各機能部を設置でき、該記憶媒体読取手段が集積回路内蔵記憶媒体から読取った情報に基づいて特定される有価価値に対応する遊技媒体の貸し出し制御に対処できる。
【００２３】
請求項２記載の発明によれば、上記請求項１記載の発明において、遊技台での遊技に際し、突出部の遊技台側の側面に設けた記憶媒体読取手段に集積回路内蔵記憶媒体をかざすことにより容易に情報を読取らせることができる。
【００２４】
請求項３記載の発明によれば、上記請求項２記載の発明において、突出部の遊技台側の側面で記憶媒体読取手段に集積回路内蔵記憶媒体をかざす操作を行いながら、同一面に設けられた操作部を操作して暗証番号入力等の操作を行うことができ、遊技台での遊技に際しての操作性が向上する。
【００２５】
請求項４記載の発明によれば、上記請求項３記載の発明において、突出部の遊技台側の側面のうちでも、遊技客により近い付け根側で暗証番号入力等の操作を行うことができ、入力操作が行い易く、他人にも見られづらくすることができる。
【００２６】
請求項５記載の発明によれば、上記請求項１乃至４のいずれか記載の発明において、誤って遊技台の扉及び窓を開けた際に突出させた状態の突出部に当たっても、該突出部が水平方向に稼動するので壊れ難い。
【００２７】
請求項６記載の発明によれば、上記請求項１乃至５のいずれか記載の発明において、突出部を非突出状態に収納した場合も、遊技の進行に合わせて状態情報等の確認が行なえる。
【００２８】
請求項７記載の発明によれば、上記請求項１記載の発明において、スロット遊技台へ併設される、台間方向の幅に余裕のある貸出処理装置に適用し、突出部の上面に設けた記憶媒体読取手段に集積回路内蔵記憶媒体をかざすことにより容易に情報を読取らせることができる。
【００２９】
請求項８記載の発明によれば、上記請求項７記載の発明において、突出部の上面に記憶媒体読取手段と共に設けた操作部を操作して暗証番号入力等の操作を容易に行えると共に、突出部を非突出状態に収納した場合も、遊技の進行に合わせて状態情報等の確認が行なえる。
【発明を実施するための最良の形態】
【００３０】
以下、本発明の実施形態について添付図面を参照して詳細に説明する。
【００３１】
図１は、本発明に係わる遊技媒体貸出処理装置を適用して構成した遊技媒体貸出システムのシステム構成図である。
【００３２】
図１において、この遊技媒体貸出システムは、遊技施設１０（以下、「パチンコ店１０」という）内で構成され、会員管理ターミナルコントローラ１０１（以下、「会員管理ＴＣ１０１」という）、カード管理ターミナルコントローラ１０２（以下、「カード管理ＴＣ１０２」という）、島コントローラ１０３、貸出処理機１０４、遊技機１０５（以下、「パチンコ台１０５」という）、カード発行機１０６、カード精算機１０７、会員カード処理機１０８、玉計数機１０９を含んで構成され、パチンコ遊技機またはスロット遊技機（不図示）などの遊技機による遊技を提供する。
【００３３】
このシステムにおいて、島コントローラ１０３は、パチンコ店１０のホール内の「島」と呼ばれるグループ毎に設置され、貸出処理機１０４と会員管理ＴＣ１０１、カード管理ＴＣ１０２との間で通信回線〔ローカル・エリア・ネットワーク（ＬＡＮ）〕を介してデータの中継伝送等の処理を行う。
【００３４】
貸出処理機１０４は、上記「島」に設置される複数の遊技機（パチンコ遊技機やスロット遊技機等）１０５にそれぞれ対応して設けられ、遊技用記録媒体として用いるカード（一般カード、会員カード）または貨幣を受け入れて遊技媒体であるパチンコ玉あるいはメダルの貸出処理を実施する。
【００３５】
カード発行機１０６は、パチンコ店１０に少なくとも１台設置され、投入された現金に相当する価値の有価価値を価値付けたカードを発行する。
【００３６】
カード発行の際、該カードに価値付けた有価価値に相当する金額をカードに付加された識別情報とともにカード管理ＴＣ１０２に通知することでカード管理ＴＣ１０２がカード発行にかかる情報を一元管理できる。
【００３７】
カードには、パチンコ店１０の会員として登録されている遊技客が保持する会員カードと、会員として登録されていない一般の遊技客が保持する非会員カード（一般カード：プリペイドカード）があり、現金が投入されて新規に発行されるカードは一般カードである。
【００３８】
会員カードの場合、会員登録時に発行されており、その会員カードをカード発行機１０６に挿入することで投入された金額に相当する有価価値が価値付けられる。
【００３９】
また、既に発行された一般カードも再利用が可能であり、その一般カードも会員カードと同様、投入された現金の金額に対する有価価値を価値付けることができる。
【００４０】
カード精算機１０７は、カードに関連付けられた金額を現金として精算（換金）する。精算後、会員カードの場合には遊技客に返却し、一般カードの場合には遊技客に返却せずに機内に回収する。
【００４１】
会員カード処理機１０８は、会員カードを受け入れ、玉計数機１０９により計数されたパチンコ玉の数を、会員管理ＴＣ１０１が会員管理テーブル１０１１〔図２（ａ）参照〕中の該会員カードから読取った会員ＩＤに対応して管理している貯玉数に加算して貯玉数を更新する貯玉処理を行う。
【００４２】
また、会員カード処理機１０８は、ＩＣ読取機能（ＩＣリーダ）を有し、玉計数機１０９での計数値を、上記ＩＣリーダによりＩＣカードやＩＣ付携帯電話端末から読取ったカードＩＤや端末ＩＤに関連付けて上記会員管理テーブル１０１１に登録させる（貯玉させる）処理機能を有する。
【００４３】
このシステムでは、貸出処理機１０４、カード発行機１０６及びカード精算機１０７の各装置は、一般カード、会員カードを受け入れてこれらカードに対する有価価値の価値付け、有価価値の更新（加算、減算）、有価価値精算等の処理をカード管理ＴＣ１０２、会員管理ＴＣ１０１と協働して行う。
【００４４】
会員管理ＴＣ１０１は、ＰＣ（パーソナル・コンピュータ）等の情報処理端末により構成され、有価価値管理テーブルとして設けられる会員管理テーブル１０１１〔図２（ａ）参照〕を用いて会員情報を保持、管理する。
【００４５】
カード管理ＴＣ１０２もＰＣ等の情報処理端末により構成され、有価価値管理テーブルとしてはカード管理テーブル１０２１〔図２（ｂ）参照〕を有し、該カード管理テーブル１０２１を用いてカード情報を保持、管理する。
【００４６】
図２（ａ）に示すように、会員管理テーブル１０１１には、会員カードのカードＩＤ（会員コード）別に、貯玉数、残度数、来店回数、来店ポイント、入会日、住所、氏名、電話番号および追加入金額などの各種データが記憶されている。
【００４７】
また、カード管理テーブル１０２１には、図２（ｂ）に示すように、一般カードのカードＩＤ毎に、発行日、発行金額、残度数、再発行回数、追加入金額などの各種データが記憶されている。
【００４８】
会員管理ＴＣ１０１、及びカード管理ＴＣ１０２は、貸出処理機１０４，カード発行機１０６及びカード精算機１０７等の各装置と通信して、該各装置が受け入れているカードのカードＩＤに対応する会員管理テーブル１０１１、カード管理テーブル１０２１上の有価価値（残度数）の加算あるいは減算等の処理を行う処理データ管理機能を有する。
【００４９】
また、このシステム（会員管理ＴＣ１０１、カード管理ＴＣ１０２等）は、公衆回線網５０を介してパチンコ店１０の店外設備６０にも接続されている。
【００５０】
店外設備６０としては、貯玉を管理する第三者機関である貯玉第三者管理センタ、パチンコ店１０に一般カード、会員カードを供給してその運用状況を管理するカード会社の中央管理装置、電子マネーの管理センタ等がある。
【００５１】
この遊技媒体貸出システムが電子マネーの管理センタに接続されるのは、該システムの貸出処理機１０４が、記憶媒体として内蔵されるＩＣチップに電子マネーとして用いる金銭データを記憶（チャージ）できるＩＣカードやＩＣ付携帯電話端末等のＩＣ内蔵記憶媒体を用いた遊技媒体の貸出処理もサポートしているためである。
【００５２】
すなわち、貸出処理機１０４は、ＩＣ内蔵記憶媒体がかざされる（近接される）と、該ＩＣ内蔵記憶媒体から該媒体の識別情報（ＩＣ付携帯電話端末の端末ＩＤ、ＩＣカードのカードＩＤ）等の情報を読取るＩＣ内蔵記憶媒体読取機能と、該ＩＣ内蔵記憶媒体読取機能がＩＣ内蔵記憶媒体から読取った識別情報をキーに会員管理ＴＣ１０１、またはカード管理ＴＣ１０２と通信して会員管理テーブル１０１１、またはカード管理ＴＣ１０２１における当該端末ＩＤ、またはカードＩＤに対応する残度数等を更新、管理させる処理機能を備える。
【００５３】
他方、上記ＩＣ内蔵記憶媒体を用いた遊技媒体貸出処理に対処すべく、会員管理ＴＣ１０１は、図２（ａ）に示す会員管理テーブル１０１１において、会員ＩＤに対応して、該会員が用いるＩＣ内蔵記憶媒体の識別情報（同図の例では、携帯電話端末ＩＤ）及び暗証番号を管理する機能を更に有する。
【００５４】
また、カード管理ＴＣ１０２は、図２（ｂ）に示すカード管理テーブル１０２１において、カードＩＤの他、更に、上記ＩＣ内蔵記憶媒体から読取った識別情報（同図の例では、携帯電話端末ＩＤ）に対応して残度数等の情報を管理する機能を有する。
【００５５】
そして、本発明に係わる貸出処理機１０４では、装置本体の前面部に、必要に応じて該装置本体の前面部から前方に突出した状態とすることが可能な突出部（図８の符号３０参照）を設け、該突出部の側面に上記ＩＣ内蔵記憶媒体から情報を読取るＩＣ内蔵記憶媒体読取部等の設置スペースを確保している。
【００５６】
以下、このＩＣ内蔵記憶媒体読取部を備える貸出処理機１０４の構成及び運用動作について、各実施例を挙げて詳細に説明する。
【実施例１】
【００５７】
図３は、実施例１に係わる貸出処理機１０４の機能構成を示すブロック図である。
【００５８】
図３に示す如く、本実施例の貸出処理機１０４は、状態表示部２１、リモコン受光部２２、紙幣処理部２３、カード処理部２４、玉投出機構２５、記憶部２６、電源部２７、第１通信部２８、第２通信部２９、突出部３０及び貸出制御部３１を備えて構成される。
【００５９】
状態表示部２１は、状態表示ランプ２１１、カード状態表示器２１２、紙幣状態表示器２１３から成る。
【００６０】
状態表示ランプ２１１は、貸出処理機１０４または併設されたパチンコ台１０５の状態を係員に示すランプである。例えば、紙幣挿入やカード挿入時に発生したエラーを係員に伝える場合に用いられる。
【００６１】
カード状態表示器２１２は、ＬＥＤから成り、予め収納された一般カードの収納状態を示す。例えば、カードスタック機構（図示せず）によってスタックされた一般カードが残り数枚になった場合に係員への補充を促したり、満杯になりそうな場合に回収を促したりすることができる。
【００６２】
紙幣状態表示器２１３もＬＥＤにより構成され、紙幣処理部２３における紙幣の挿入状態等の状態を示す。
【００６３】
リモコン受光部２２は、係員が携帯するリモコンを用いて貸出処理機１０４を操作する際のリモコンとの通信インタフェースである。
【００６４】
紙幣処理部２３は、紙幣挿入口２３０、紙幣識別部２３１、紙幣搬送部２３２により構成される。
【００６５】
紙幣挿入口２３０は、パチンコ玉の貸出を現金で受ける際に紙幣を投入する投入口である。紙幣挿入口２３０から投入された紙幣は紙幣識別部２３１で識別され、紙幣搬送部２３２を用いて島端の回収ボックスへ搬送され、保管される。
【００６６】
カード処理部２４は、カード挿入口２４０、カード読取／書込部２４１、カード収納部２４２、カード搬送部２４３により構成される。
【００６７】
カード挿入口２４０は、会員登録された遊技客に発行する会員カードまたはカード発行機１０６などで発行された一般カードを挿入する挿入口である。
【００６８】
カード読取／書込部２４１は、カード挿入口２４０から挿入されたカードからの情報の読み取りと該カードへの情報の書き込みを行う。挿入されたカードの種類を判別し、さらにカードに記憶されている識別情報を読み取り、読み取った識別情報を貸出制御部３１に送出する。
【００６９】
カード収納部２４２は、一般カードを収容する。紙幣挿入口２３０から投入された紙幣に対してパチンコ台１０５に貸し出されたパチンコ玉の数が少ない場合であって、さらに遊技客によって返却ボタンが押下された場合にその差分の有価価値を価値付けた一般カードを排出する。
【００７０】
カード搬送部２４３は、カードを、カード挿入口２４０、カード読取／書込部２４１のカード情報読取位置、カード収納部２４２の間を搬送する機構である。
【００７１】
玉投出機構２５はノズル２５１を有し（図４参照）、会員である遊技客の再プレイによる貯玉の再貸出時に該ノズル２５１を介してパチンコ台１０５の受け皿にパチンコ玉を再貸出する。
【００７２】
記憶部２６は、貸出処理機１０４における各種機能を実現するための実行プログラムやパラメータが格納され、貸出制御部３１により呼び出されることにより実行される。また、一時的にデータを記憶する一時記憶領域を有し、実行プログラムの作業領域を提供する。
【００７３】
電源部２７は、貸出処理機１０４でパチンコ玉の貸出処理などを行うにあたって電源の供給を行う。
【００７４】
第１通信部２８は、貸出処理機１０４とパチンコ台１０５とを接続するインタフェース装置であり、この接続によって貸出処理機１０４は、パチンコ台１０５を動作制御するための制御信号を授受する。
【００７５】
第２通信部２９は、貸出処理機１０４を通信回線と接続するインタフェース装置である。受け付けたカードに記憶されたカードＩＤ、受付けたＩＣ内蔵記憶媒体（ＩＣ付携帯電話端末、ＩＣカード）に記憶された情報（端末ＩＤ、カードＩＤ）に基づく貸出要求を会員管理ＴＣ１０１若しくはカード管理ＴＣ１０２へ送信するほか、会員管理ＴＣ１０１若しくはカード管理ＴＣ１０２より各種設定情報の受信を行う。
【００７６】
突出部３０は、ＩＣ内蔵記憶媒体読取部３０１、表示部３０２、操作部３０３及びスライド駆動部３０４により構成される。
【００７７】
ＩＣ内蔵記憶媒体読取部３０１は、ＩＣ内蔵記憶媒体（ＩＣ付携帯電話端末７０、ＩＣカード７５）をかざすことを促す際に発光されるＬＥＤを内蔵し、該ＬＥＤが発光している時に遊技客により近接された上記ＩＣ内蔵記憶媒体から識別情報（端末ＩＤ、カードＩＤ）やチャージ残額情報等の情報を読取る処理を行う。
【００７８】
表示部３０２は、情報表示ＬＥＤ３０２１と、モード表示ランプ３０２２により構成される。
【００７９】
情報表示ＬＥＤ３０２１は、７セグメント表示×６桁からなる表示デバイスであり、モード表示ランプ３０２２で選択的に示されるモードに対応する情報（主に数値情報）を遊技客に対して表示する。
【００８０】
また、貸出処理機１０４やパチンコ台で発生したエラーを特定できるエラーコードを係員に対して表示することも可能である。
【００８１】
モード表示ランプ３０２２は、「残度数」、「総貯玉数」、「再プレイ可能回数」の各モードをランプ表示する。
【００８２】
残度数モードは、挿入されたカードのカードＩＤに対応してカード管理ＴＣ１０２に登録されているプリペイド価値（残度数）を表示するモードである。
【００８３】
また、総貯玉数モードは、会員管理ＴＣ１０１に登録された貯玉数を表示するモードである。
【００８４】
さらに、再プレイ可能回数モードは、会員管理ＴＣ１０１に登録された貯玉数と一回の再プレイ操作で再貸出される玉数に基づき、再プレイ操作が可能な回数を表示するモードである。
【００８５】
操作部３０３は、テンキー３０３１と、操作指示ボタン３０３２とにより構成される。
【００８６】
テンキー３０３１は、「０（ゼロ）」から「９」までの１０個の数字のボタン群であって、一般カードを用いたカード玉貸単位、会員カードやＩＣ内蔵記憶媒体（ＩＣ付携帯電話端末７０、ＩＣカード７５）による貯玉機能を用いた再プレイ時の再プレイ玉貸単位をそれぞれ設定するのに用いる。
【００８７】
また、テンキー３０３１は、会員である遊技客が会員カードやＩＣ内蔵記憶媒体を用いて貯玉による再プレイを行なう際、該会員カードから読取ったカードＩＤ、ＩＣ内蔵記憶媒体から読取ったＩＤ（端末ＩＤ、カードＩＤ）に対応して管理されている暗証番号との照合対象となる暗証番号を入力するのに用いられる。
【００８８】
操作指示ボタン３０３２は、貸出処理機１０４が持つ各機能を利用する際にその機能を選択、決定、取り消しするボタン群であって、具体的には、貯玉からの再貸出（再プレイ）を指示する再プレイ（「再Ｐ」）ボタン、プリペイド価値を使った貸出を指示する「貸出」ボタン、カードの返却を指示する「返却」ボタン、入力した指示等の取消しを指示する「取消」ボタンが設けられる（図８、図９参照）。
【００８９】
会員である遊技客が会員カードを挿入して再プレイボタンを押下するか、再プレイボタンを押下してＩＣ内蔵記憶媒体（ＩＣ付携帯電話端末７０、ＩＣカード７５）をＩＣ内蔵記憶媒体読取部３０１にかざすと、暗証番号の入力が要求され、該要求に対して暗証番号を入力すると、該入力された暗証番号と予め登録されている暗証番号（上記会員カードから読取ったカードＩＤ、ＩＣ付携帯電話端末７０から読取った端末ＩＤ、ＩＣカード７５から読取ったカードＩＤに対応する暗証番号）との照合が会員管理ＴＣ１０１に問い合わせられ、該問合せに対して会員管理ＴＣ１０１から正しい暗証番号である（入力された暗証番号と登録されている暗証番号が一致するとの認証結果（“認証ＯＫ”）が得られた場合に該会員カード、ＩＣ内蔵記憶媒体を用いた貯玉の再貸出を受けることができる。
【００９０】
スライド駆動部３０４は、上記ＩＣ内蔵記憶媒体読取部３０１、表示部３０２及び操作部３０３を備える突出部３０を、貸出処理機１０４の前面部から前方へとスライドさせる駆動機構である。
【００９１】
貸出制御部３１は、貸出処理機１０４におけるパチンコ玉の貸し出しやカードの発行、受け付けなどの処理を制御する。
【００９２】
すなわち、貸出制御部３１は、貸出処理機１０４の主制御を担当し、第１通信部２８を介して接続されるパチンコ台１０５とも各種制御信号およびデータの授受を行い、パチンコ台１０５の動作制御を行う。
【００９３】
遊技客により挿入された一般カード若しくは会員カードを検知すると、カードＩＤの読出しを行い、遊技客からの動作指示（再プレイボタンを押下することによる再プレイ指示やパチンコ台に設けられた玉貸ボタンを押下することによる貸出指示）を受けて貸出要求を会員管理ＴＣ１０１、またはカード管理ＴＣ１０２に行う。
【００９４】
再プレイボタンが押下されるなどして再プレイ指示が行われた場合には、貯玉の再貸出要求を会員管理ＴＣ１０１に対して行い、また、玉貸ボタンが押下されるなどして有価価値に対する玉貸指示が行われた場合には、貸出要求をカード管理ＴＣ１０２に対して行う。
【００９５】
その応答として、会員管理ＴＣ１０１から再貸出可能な貯玉数が示されると、指示された玉数を玉投出機構２５によってパチンコ台１０５の受け皿に再貸出する。
【００９６】
それに対して、カード管理ＴＣ１０２から貸出指示が行われると、指示された玉数をパチンコ台１０５に指示し、パチンコ台１０５の玉投出機構４５を用いてパチンコ玉を貸し出す制御を行なう。
【００９７】
なお、貸出処理部３１は、会員である遊技客が会員カードやＩＣ内蔵記憶媒体を用いて貯玉による再プレイを行なう際、突出部３０に設けられる操作部３０３のテンキー３０３１を用いた暗証番号の入力を受付け、該入力された暗証番号と予め登録されている暗証番号（上記会員カードから読取ったカードＩＤ、ＩＣ内蔵記憶媒体から読取った媒体ＩＤに対応する）との照合を会員管理ＴＣ１０１に問い合わせ、該問合せに対して会員管理ＴＣ１０１から“照合ＯＫ”との認証結果が得られた場合に該会員カード、ＩＣ内蔵記憶媒体を用いた貯玉の再貸出を行うように制御する。
【００９８】
図３に示す機能構成からも分かるように、本実施例の貸出処理機１０４では、スライド駆動部３０４によって装置本体の前面部から必要に応じて前方へ突出可能な突出部３０が設けられる。
【００９９】
次に、突出部３０を含む貸出処理機１０４の外観構造について図４を参照して説明する。
【０１００】
図４は、貸出処理機１０４と対応する遊技機（パチンコ台）１０５の装置構成を示す図である。
【０１０１】
図４において、図４（ａ）は、貸出処理機１０４の外観構成を示す図であり、図４（ｂ）は、パチンコ台１０５の外観構成を示す図である。
【０１０２】
図４（ａ）に示すように、この貸出処理機１０４は、装置本体の前面部１０４１に、図３において説明した状態表示部２１（状態表示ランプ２１１、カード状態表示器２１２及び紙幣状態表示器２１３から成る）、リモコン受光部２２、紙幣挿入口２３０、カード挿入口２４０、ノズル（玉投出機構２５によってパチンコ玉の再貸出を行う際の再貸出アーム）２５１及び突出部３０を設けて構成される。
【０１０３】
ここで、突出部３０は、当該貸出処理機１０４の装置本体の前面部１０４１から該前面部１０４１の面と直交する方向（図４において紙面に対する鉛直方向）にスライド可能に当該貸出処理機１０４の装置本体内に収容され、当該突出部３０の前面部には、図３において説明した情報表示ＬＥＤ３０２１とモード表示ランプ３０２２が設けられる。
【０１０４】
他方、図４（ｂ）に示すパチンコ台１０５には、受け皿４１、表示部４２、玉貸ボタン４３、カード返却ボタン４４、玉投出機構４５が示されており、受け皿４１は、パチンコ台１０５の玉投出機構４５によって投出されたパチンコ玉を受けるものであって、また、貸出処理機１０４の玉投出機構２５からノズル２５１を介して投出されたパチンコ玉を受ける。
【０１０５】
表示部４２は、遊技客により貸出処理機１０４の紙幣挿入口２３０に投入された紙幣、カード挿入口２４０に挿入されたカードで貸出可能な玉数などを表示する。
【０１０６】
玉貸ボタン４３、カード返却ボタン４４は、パチンコ玉の貸出や、カード挿入口２４０に挿入されたカードの排出、返却を指示するボタンであり、玉投出機構４５は、貸出処理機１０４の貸出制御部３１からの指示を受けてパチンコ台１０５にパチンコ玉を貸し出すと共に、遊技結果に応じて賞球を投出するための投出機構である。
【０１０７】
このときの玉投出機構４５は、「４個切り」、「５個切り」などのように度数に対する玉数単位で投出する。
【０１０８】
以上に示すような貸出処理機１０４とパチンコ台１０５の装置構成により、パチンコ台１０５の玉貸ボタン４３を押下することにより有価価値に対するパチンコ玉を用いた遊技を行うことができる。
【０１０９】
また、この貸出処理機１０４によれば、後述するように、突出部３０の側面に設けられる操作指示ボタン３０３２（該突出部１０を前方に突出させた際に露出する面に設けられる）における再プレイボタンを押下することにより貯玉を用いた再プレイを行うことができる。
【０１１０】
次に、貸出処理機３０における突出部３０の構成について図５及び図６を参照してより詳しく説明する。
【０１１１】
図５は、貸出処理機１０４の前面部１０４１における突出部３０形成位置近傍の正面構造を示す概念図であり、図６は、図５のＤ−Ｄ線による断面構造を示す概念図である。
【０１１２】
図６において、図６（ａ）は突出部３０を貸出処理機１０４に収容（収納）した状態（非突出し状態）での断面構造を示し、図６（ｂ）は上記突出部３０を貸出処理機１０４から前方に突出させた状態での断面構造を示している。
【０１１３】
図５及び図６に示すように、突出部３０は、全体が直方体の形状を有し、下面の左右両端には、貸出処理機１０４の前面部１０４１と直交する方向に延びる一対のスライドバー３１１，３１１が設けられる。
【０１１４】
一方、貸出処理機１０４には、上記突出部３０の外形寸法より大きな内径寸法で直方体の形状に刳り貫かれた突出部収容部（以下、収容部）３２１を有する。
【０１１５】
この収容部３２１内部の底面部の左右両端には、貸出処理機１０４の前面部１０４１と直交する方向に延び、突出部３０のスライドバー３１１，３１１をそれぞれ嵌め合せることが可能な構造を有する一対のスライドレール３２２，３２２が設けられる。
【０１１６】
そして、図５及び図６において、突出部３０は、スライドバー３１１，３１１が、貸出処理機１０４の収容部３２１の内部底面部に設けたスライドレール３２２，３２２にそれぞれ嵌め合わせられることにより、貸出処理機１０４の前面部１０４１と直交する方向（収容部３２１の深さ方向）に沿って矢印Ａ１方向及びＡ２方向にスライド可能な構造を有する。
【０１１７】
また、図６に示すように、貸出処理機１０４の収容部３２１の内部において、上記深さ方向の最深部に当たる面（収容される突出部３０の背面部に対向する面）には、収容される突出部３０の背面部に当接して該突出部３０を当該収容部３２１の外部へ押し出す方向（矢印Ａ１方向）に付勢する弾性部材（例えば、スプリングバネ）３２３が設けられる。
【０１１８】
また、貸出処理機１０４の収容部３２１内部の上記深さ方向の最深部に当たる面には、上記弾性部材３２３の付勢力に抗して突出部３０を収容部３２１内に収容される状態位置〔図６（ａ）に示す状態位置〕に固定するロック機構３２４が更に設けられる。
【０１１９】
他方、突出部３０の背面部には、上記ロック機構３２４に対して嵌脱自在なロックバー３１２が設けられる。
【０１２０】
貸出処理機１０４に設けられるロック機構３２４は、突出部３０を図６の矢印Ａ２方向にスライドさせ、該突出部３０の背面部のロックバー３１２が当該ロック機構３２４に嵌着されるまで同方向に押し込むことによりロック状態となって該突出部３０を収容部３２１内に収容される状態位置〔図６（ａ）に示す状態位置〕に固定すると共に、該ロック状態で、突出部３０を再度矢印Ａ２方向に押し込むことによりロック解除状態となるように機能する。
【０１２１】
このように、本実施例に係わる貸出処理機１０４では、突出部３０の収容部３２１内に、１回押す毎にロック状態とロック解除状態とが切り替わるロック機構３２４を備えることで、図６（ａ）に示すように、突出部３０を矢印Ａ２方向に一杯までスライドさせ、ロックバー３１２によりロック機構３２４をロックさせて、該突出部３０を、弾性部材３２３の付勢力に抗して収容部３２１内に収容される状態に固定することができると共に、このロック状態（収容状態）において、突出部３０を再度矢印Ａ２方向に押し込むことによりロック解除状態としたうえで、図６（ｂ）に示すように、該突出部３０を弾性部材３２３の付勢力により矢印Ａ１方向にスライドさせ、貸出処理機１０４の前面部１０４１から前方に突出した状態に固定することができる。
【０１２２】
図７は、突出部３０の収納状態（非突出状態）で運用される貸出処理機１０４の外観構造を示す斜視図であり、図８は、突出部３０を前方へ突出させた状態で運用される貸出処理機１０４の外観構造を示す斜視図である。
【０１２３】
なお、図７及び図８においては、説明の簡単化のため、突出部３０の構成要素以外の外観構成要素（状態表示部２１、紙幣挿入口２３０、カード挿入口２４０、ノズル２５１等）、並びに、突出部３０の構成要素のうちのスライド駆動部３０４（スライドバー３１１，３１１、スライドレール３２２，３２２）や、ロック機構３２４等は省略している。
【０１２４】
図７、及び図８に示すように、本実施例の貸出処理機１０４によれば、図５、図６においても説明したように、突出部３０の前面部１０４１には、表示部３０２（図３参照）を構成する情報表示ＬＥＤ３０２１及びモード表示ランプ３０２２が設けられる。
【０１２５】
また、この貸出処理機１０４によれば、図８に示すように、突出部３０の該突出部３０を前方に突出させた際に装置本体外に露出する面のうち、パチンコ台１０５側の側面（図８の紙面に向かって見たときの右側の側面）には、ＩＣ内蔵記憶媒体読取部３０１と、操作部３０３（図３参照）を構成するテンキー３０３１及び操作指示ボタン３０３２が設けられる。
【０１２６】
次に、本実施例の貸出処理機１０４の貸出制御動作について説明する。
【０１２７】
この貸出処理機１０４では、図７〔及び図６（ａ）〕に示すように、突出部３０を装置本体内に収納した状態で投入紙幣、投入カードの有価価値を用いた遊技が行える。
【０１２８】
すなわち、上述した突出部３０の収納状態で、例えば、遊技客により貸出処理機１０４の紙幣挿入口２３０から所定金額の紙幣が投入され、パチンコ台１０５の玉貸ボタン４３が押下されると、該貸出処理機１０４は、投入した紙幣の金額から玉貸ボタン４３による玉貸単位の玉数に対する金額を差し引いて残額が更新したうえで該玉貸単位の玉数の貸出をパチンコ台１０５に指示し、パチンコ台１０５では貸出処理機１０４からの玉貸指示に基づく玉数が玉投出機構４５を用いて受け皿４１に貸出される。
【０１２９】
また、遊技客により貸出処理機１０４のカード挿入口２４０からカードＩＤが付与された会員カード（または、一般カード）が挿入されると、該会員カード（同、一般カード）からカードＩＤを含むカード情報を読み出す。
【０１３０】
カード情報を読み出した状態で遊技客によりパチンコ台１０５の玉貸ボタン４３が押下されると、読み出したカード情報の残高情報に対してカード玉貸単位で貸出が可能であるか会員管理ＴＣ１０１（同、カード管理ＴＣ１０２）に問い合わせる。
【０１３１】
カード玉貸単位での貸出要求を受けた会員管理ＴＣ１０１（同、カード管理ＴＣ１０２）では、カードＩＤに対する残高情報を会員管理テーブル１０１１（同、カード管理テーブル１０２１）から取得し、カード玉貸単位の玉数を貸し出すのに必要な金額が取得した残高情報の金額よりも低い額である場合、カード玉貸単位の玉数に対する金額を会員管理ＴＣ１０１（同、カード管理ＴＣ１０２）の残高情報から差し引いて残高情報を更新したうえで、カード玉貸単位の玉数の貸出を貸出処理機に対して指示する。
【０１３２】
会員管理ＴＣ１０１（同、カード管理ＴＣ１０２）から貸出可能な玉数の貸出指示が行われると、指示された玉数の貸出をパチンコ台１０５に対して行い、パチンコ台１０５では貸出処理機１０４からの玉貸指示に基づく玉数を玉投出機構４５を用いて受け皿４１に貸し出す。
【０１３３】
最後に、遊技客がパチンコ台１０５に設けられたカード返却ボタン４４を押下することによってカードが返却されて処理を終了する。
【０１３４】
以上に述べた投入紙幣、投入カードの有価価値を用いた遊技は、貸出処理機１０４において、図８〔及び図６（ｂ）〕に示すように、装置本体から突出部３０を突出させた状態でも行うことができる。
【０１３５】
また、突出部３０を貸出処理機１０４から突出させた当該状態においては、更に、該突出部３０の側面に設けられるＩＣ内蔵記憶媒体読取部３０１や操作部３０３の機能部を使って、会員カードを用いた再プレイと、ＩＣ付携帯電話端末７０やＩＣカード７５を用いた玉貸し及び再プレイが行なえる。
【０１３６】
例えば、会員カードを用いて再プレイを行なう場合、遊技客は、突出部３０を貸出処理機１０４の装置本体から突出させた状態（図８参照）で貸出処理機１０４のカード挿入口２４０（図４参照）からカードＩＤが記憶された会員カードを挿入する。
【０１３７】
会員カードが挿入されると、貸出処理機１０４では、該会員カードからカードＩＤを含むカード情報を読み出し、貸出処理機１０４の突出部３０の側面に設けられる操作指示ボタン３０３２のうちの再プレイボタンが押下されるまで待機する。
【０１３８】
ここで、再プレイボタンが押下されると、貸出処理機１０４は、更に、暗証番号の入力を待ち、この間、遊技客により操作部３０３のテンキー３０３１を用いて暗証番号が入力されると、該入力された暗証番号と、挿入されている会員カードから読取済みのカードＩＤを含む認証要求を会員管理ＴＣ１０１に送出する。
【０１３９】
会員管理ＴＣ１０１は、上記認証要求を受信すると、該認証要求に含まれる暗証番号とカードＩＤを抽出したうえで、該抽出したカードＩＤが会員管理テーブル１０１１に登録されているか否かをチェックし、登録されている場合は、更に、該カードＩＤに対応して登録されている暗証番号を読み出し、該登録されている暗証番号が上記認証要求から抽出した暗証番号と一致するか否かをチェックする。
【０１４０】
ここで、登録されている暗証番号と認証要求から抽出した暗証番号とが一致する場合は、“照合ＯＫ”とする認証結果を貸出処理機１０４に送出する。
【０１４１】
これに対し、認証要求から抽出したカードＩＤが会員管理テーブル１０１１に登録されていない場合、あるいは、認証要求から抽出したカードＩＤに対応して会員管理テーブル１０１１に登録されている暗証番号と、該認証要求から抽出した暗証番号とが不一致の場合、“照合ＮＧ”とする認証結果を貸出処理機１０４に送出する。
【０１４２】
他方、貸出処理機１０４は、送出した認証要求に対する応答として会員管理ＴＣ１０１から上記認証結果を受信すると、該認証結果が“照合ＯＫ”か“照合ＮＧ”かをチェックする。
【０１４３】
該チェックの結果、“照合ＮＧ”である場合、その旨を遊技客に対して報知する（例えば、“認証ＮＧ”の旨を表示部３０２を用いて表示する）。
【０１４４】
これに対し、上記チェックの結果、“照合ＯＫ”である場合、貸出処理機１０４は、挿入された会員カードから読み出したカードＩＤで管理された貯玉のうち、再プレイ玉貸単位の玉数の再貸出を会員管理ＴＣ１０１に対して要求する。
【０１４５】
貸出処理機１０４から貯玉の再貸出要求を受け付けた会員管理ＴＣ１０１では、該再貸出要求に含まれるカードＩＤに対応して会員管理テーブル１０１１〔図２（ａ）参照〕に格納されている貯玉数が再貸出要求された玉数より多い（貸出可能である）と判断した場合、会員管理テーブル１０１１における当該カードＩＤに対応する貯玉数から再貸出要求された玉数を減算して貯玉数を更新したうえで、再プレイ玉貸単位の玉数の再貸出を貸出処理機１０４に対して指示する。
【０１４６】
貸出処理機１０４では、会員管理ＴＣ１０１から再貸出指示を受けると、指示された玉数のパチンコ玉を玉投出機構２５によりノズル２５１を介してパチンコ台１０５の受け皿４１に再貸出する。
【０１４７】
最後に、遊技客が突出部３０の側面に設けられた操作指示ボタン３０３２における「返却」ボタンを押下することによって会員カードが返却されて処理を終了する。
【０１４８】
次に、この貸出処理機１０４におけるＩＣ付携帯電話端末７０、ＩＣカード７５を用いた玉貸し及び貯玉再プレイ時の処理動作について説明する。
【０１４９】
ここでは、簡単のために、ＩＣ付携帯電話端末７０を用いる場合について説明するが、同様に、ＩＣカード７５を用いた場合も、該ＩＣカード７５からＩＣ内蔵記憶媒体読取部３０１が読取ったカードＩＤに基づいて玉貸し及び貯玉再プレイ操作を行うことができる。
【０１５０】
なお、貯玉再プレイは、パチンコ店１０の会員である遊技客のみが利用できるものであるが、該会員がＩＣ付携帯電話端末７０（または、ＩＣカード７５）を用いて貯玉再プレイを行うためには、ＩＣ付携帯電話端末７０の端末ＩＤ（ＩＣカード７５のカードＩＤ）と暗証番号とを対応付けて登録しておく必要がある。
【０１５１】
図２（ａ）に示す会員管理テーブル１０１１の例では、会員ＩＤに対応して、貯玉数や住所、氏名等の会員情報と共に、該会員ＩＤを有する会員が用いるＩＣ付携帯電話端末７０の端末ＩＤ（“５４４５”，“３２３６”等）と該端末ＩＤに対応する暗証番号（“１２５５６７”，“１２７６５８”等）が登録されている。
【０１５２】
まず、遊技客（会員、あるいは非会員）がＩＣ付携帯電話端末７０を用いて玉貸出を受ける場合、図８に示すように、突出部３０を貸出処理機１０４の装置本体から前方へ突出させた状態とする。
【０１５３】
この状態では、突出部３０の側面に設けられるＩＣ内蔵記憶媒体読取部３０１、テンキー３０３１、操作指示ボタン３０３２は装置本体外に露出されている（遊技客が操作できる状態にある）。
【０１５４】
上記の如く突出部３０を突出させた状態で、遊技客は、該突出部３０の側面に設けられる操作指示ボタン３０３２中の「貸出」ボタンを押下する操作を行う。
【０１５５】
上記「貸出」ボタンが操作されると、貸出処理機１０４は、遊技客にＩＣ付携帯電話端末７０をかざすことを促すために、ＩＣ内蔵記憶媒体読取部３０１に内蔵されたＬＥＤを発光させるように駆動する。
【０１５６】
上記ＬＥＤの発光中に、遊技客がＩＣ内蔵記憶媒体読取部３０１にＩＣ付携帯電話端末７０をかざす（近接させる）と、貸出処理機１０４は、ＩＣ内蔵記憶媒体読取部３０１を駆動して、近接されている当該ＩＣ付携帯電話端末７０から端末ＩＤを読取り、該読取った端末ＩＤを含む貸出要求をカード管理ＴＣ１０２に送出する。
【０１５７】
カード管理ＴＣ１０２は、貸出処理機１０４から上記貸出要求を受信すると、該貸出要求に含まれる端末ＩＤがカード管理テーブル１０２１に登録されているか否かを判定し、該端末ＩＤが登録されている場合には、更に、該端末ＩＤに対応する残度数が“０”であるか否かを判定する。
【０１５８】
ここで、貸出処理機１０４から受信した上記貸出要求に含まれる端末ＩＤがカード管理テーブル１０２１に登録されていない場合、または、該端末ＩＤが登録されているが、該端末ＩＤに対応する残度数が“０”である場合、“貸出不可”である旨を貸出処理機１０４に応答送出する。
【０１５９】
これに対し、上記貸出要求に含まれる端末ＩＤがカード管理テーブル１０２１に登録されており、かつ、該端末ＩＤに対応する残度数が“０”でない場合、カード管理テーブル１０２１から当該端末ＩＤに対応する残度数情報を読出し、該読み出した残度数情報を貸出処理機１０４に送出する。
【０１６０】
一方、貸出処理機１０４は、上記貸出要求（ＩＣ付携帯電話端末７０の端末ＩＤを含む）の送出後、該貸出要求に対するカード管理ＴＣ１０２からの応答として、例えば、上述した“貸出不可”である旨の通知を受信した場合、該通知内容を解析し、端末ＩＤ（上記貸出要求に含めて送出した端末ＩＤ）が登録されていない旨、あるいは、該端末ＩＤに対応する残度数が“０”である旨を遊技客に対して報知する（例えば、表示部３０２を用いてその旨を表示する）。
【０１６１】
これに対し、カード管理ＴＣ１０２からの応答として、上記残度数情報を受信すると、貸出処理機１０４は、該受信した残度数情報をＩＣ付携帯電話端末７０から読取った端末ＩＤに関連付けて記憶部２６に保持すると共に、該残度数情報が示す残度数を情報表示ＬＥＤ３０２１を用いて表示する（この時、モード表示ランプ３０２２は、残度数モードを示すランプ表示を行う）。
【０１６２】
上記残度数を表示した状態で、貸出処理機１０４は、操作指示ボタン３０３２中の「貸出」ボタンが押下される毎に、機内（記憶部２６）に保持している残度数から所定度数（例えば、５度数）ずつ減算したうえで、パチンコ台１０５に対して該所定度数に対応した所定数（例えば、１２５個）の玉の貸出を指示する。
【０１６３】
これにより、パチンコ台１０５では玉投出機構４５を駆動し、該指示された数のパチンコ玉を受け皿４１に投出する。
【０１６４】
この玉貸し動作に際し、貸出処理機１０４は、表示部３０２を構成する情報表示ＬＥＤ３０２１、モード表示ランプ３０２２を用いて貸出数、残額を表示する。
【０１６５】
このように、遊技客が「貸出」ボタンを押下する毎に、機内に保持する残度数から所定度数を減算して所定数の玉貸しを実行している時に、例えば、所定時間の間、「貸出」ボタンが操作されなかった場合、貸出処理機１０４は、この時に機内に保持されている残度数を示す残度数情報と端末ＩＤを含む残度数更新要求をカード管理ＴＣ１０２へ送出する。
【０１６６】
カード管理ＴＣ１０２は、貸出処理機１０４から上記残度数更新要求を受信すると、該残度数更新要求に含まれる端末ＩＤと残度数情報を抽出し、カード管理テーブル１０２１に該端末ＩＤに対応して格納されている残度数情報を当該残度数更新要求に含まれる残度数情報に書き換えることにより残度数情報を更新する。
【０１６７】
なお、貸出処理機１０４では、上記残度数の更新処理の起動（残度数の更新要求を送出する）条件として、上述の如く「貸出」ボタンが所定時間の間操作されなかったことを条件とする他、機内に保持した残度数情報が“０”になったこと、操作指示ボタン３０３２中の「取消」ボタンか「返却」ボタンが押下されたこと、他のＩＣ付携帯電話端末７０がかざされたり、カード（会員カード、あるいは一般カード）が挿入されたことを起動条件として検出し、該起動条件の検出時にカード管理ＴＣ１０２に対して残度数の更新要求を送出する。
【０１６８】
なお、上記の説明では、「貸出」ボタンを押下する毎に、所定数のパチンコ玉を貸出す例を挙げたが、「貸出」ボタンの押下を省略し、ＩＣ付携帯電話端末７０をかざすだけで所定の数量のパチンコ玉を貸出すようにしても良い。
【０１６９】
以上の如く、本実施例の貸出処理機１０４によれば、遊技客は、ＩＣ付携帯電話端末７０（あるいは、ＩＣカード）を一般カード、あるいは会員カードの代わりに用いて玉貸しを受けて遊技を行うことができる。
【０１７０】
また、この貸出処理機１０４において、会員である遊技客がＩＣ付携帯電話端末７０を用いて貯玉再プレイを行う場合、該遊技客は、上述したＩＣ付携帯電話端末７０を用いた玉貸し処理時と同様、突出部３０を貸出処理機１０４の装置本体から突出させた状態（図８参照）としたうえで、該突出部３０の側面に設けられる操作指示ボタン３０３２中の再プレイボタン（「再Ｐ」ボタン）を押下する。
【０１７１】
上記「再Ｐ」ボタンが押下されると、貸出処理機１０４は、遊技客にＩＣ付携帯電話端末７０をかざすことを促すために、ＩＣ内蔵記憶媒体読取部３０１に内蔵されたＬＥＤを発光させるように駆動する。
【０１７２】
上記ＬＥＤの発光中に、遊技客がＩＣ内蔵記憶媒体読取部３０１にＩＣ付携帯電話端末７０をかざす（近接させる）と、貸出処理機１０４は、ＩＣ内蔵記憶媒体読取部３０１を駆動して、近接されている当該ＩＣ付携帯電話端末７０から端末ＩＤを読取ったうえで、表示部３０２に暗証番号の入力を促す旨の表示を行う。
【０１７３】
この状態で、遊技客により操作部３０３のテンキー３０３１を用いて暗証番号が入力されると、貸出処理機１０４は、該入力された暗証番号とＩＣ付携帯電話端末７０から既に読取っている端末ＩＤを保持するとともに、当該暗証番号と端末ＩＤを含む認証要求を会員管理ＴＣ１０１に対して送出する。
【０１７４】
会員管理ＴＣ１０１は、貸出処理機１０４から上記認証要求を受信すると、該認証要求に含まれる端末ＩＤが会員管理テーブル１０１１に登録されているか否かを判定し、該端末ＩＤ〔図２（ａ）の例では、“５４４５”，“３２３６”等〕が登録されている場合には、次いで、該端末ＩＤに対応して登録されている暗証番号〔同、“１２５５６７”，“１２７６５８”等〕が上記認証要求に含まれる暗証番号と一致するか否かを判定する。
【０１７５】
この処理において、貸出処理機１０４から受信した上記認証要求に含まれる端末ＩＤが会員管理テーブル１０１１に登録されており、かつ、該端末ＩＤに対応して登録されている暗証番号が上記認証要求に含まれる暗証番号と一致する場合、“照合ＯＫ”と判定する。
【０１７６】
この“照合ＯＫ”の判定結果（認証結果）を得ると、更に、会員管理ＴＣ１０１は、会員管理テーブル１０１１における該端末ＩＤに対応する貯玉数が“０”であるか否かをチェックする。
【０１７７】
ここで、貯玉数が“０”でない場合、会員管理テーブル１０１１から当該貯玉数（上記端末ＩＤに対応して登録されている）を読出し、上述した“照合ＯＫ”とする認証結果と共に貸出処理機１０４に応答送出する。
【０１７８】
また、貯玉数が“０”の場合、その旨を上述した“照合ＯＫ”とする認証結果と共に貸出処理機１０４に応答送出する。
【０１７９】
これに対し、貸出処理機１０４から受信した上記認証要求に含まれる端末ＩＤが会員管理テーブル１０１１に登録されていない場合、または、該端末ＩＤが登録されているが、該端末ＩＤに対応して登録されている暗証番号が上記認証要求に含まれる暗証番号と一致しない場合、“照合ＮＧ”とする認証結果を貸出処理機１０４に応答送出する。
【０１８０】
一方、貸出処理機１０４は、上記認証要求（ＩＣ付携帯電話端末７０の端末ＩＤを含む）の送出後、該認証要求に対する会員管理ＴＣ１０１からの応答として、上述した“認証ＮＧ”とする認証結果を受信した場合、該“認証ＮＧ”の内容に応じて、例えば、端末ＩＤ（上記認証要求に含めて送出した端末ＩＤ）が登録されていない旨、あるいは、暗証番号が間違っている旨を遊技客に対して報知する（例えば、表示部３０２に表示する）。
【０１８１】
また、上記認証要求に対する会員管理ＴＣ１０１からの応答として、上述した“認証ＯＫ”とする認証結果と共に、貯玉数が“０”である旨を受信した場合、貸出処理機１０４は、貯玉数が“０”である旨を、例えば、表示部３０２に表示する等の方法により遊技客に対して報知する。
【０１８２】
これに対し、上記認証要求に対する会員管理ＴＣ１０１からの応答として、上述した“認証ＯＫ”とする認証結果と共に、貯玉数情報を受信した場合、貸出処理機１０４は、モード表示ランプ３０２２を駆動して総貯玉数モードを示すランプ表示を行うと共に、情報表示ＬＥＤ３０２１に当該受信した貯玉数を表示させたうえで、再貸出し操作の受付待ち状態に移行する。
【０１８３】
この再貸出操作受付待ち状態において、遊技客（会員）により、「再Ｐ」ボタンが押下されるか、同じＩＣ付携帯電話端末７０がかざされる（該ＩＣ付携帯電話端末７０から読取った端末ＩＤが、既に読取り、保持している端末ＩＤと一致することを条件にＩＣ付携帯電話端末７０であると判断）と、貸出処理機１０４は、当該保持している端末ＩＤを含む再貸出要求を会員管理ＴＣ１０１に送出する。
【０１８４】
会員管理ＴＣ１０１は、貸出処理機１０４から上記再貸出要求を受信すると、該再貸出要求に含まれる端末ＩＤに対応して会員管理テーブル１０１１に格納されている貯玉数から所定数の玉数（例えば、１２５個＋再プレイ手数料分の玉数）を減算して貯玉数を更新したうえで、貸出処理機１０４に対して、当該所定数の玉数の再貸出しの指示を行う。
【０１８５】
この再貸出しの指示を受けると、貸出処理機１０４は、玉投出機構２５を駆動し、再貸出し指示された数のパチンコ玉をノズル２５１を介してパチンコ台１０５の受け皿４１に投出する。
【０１８６】
この再貸出し動作に際し、貸出処理機１０４は、情報表示ＬＥＤ３０２１を用いて更新後の貯玉数を表示するとともに、モード表示ランプ３０２２は総貯玉数モードを示すランプ表示状態に駆動する。
【０１８７】
以後、貸出処理機１０４は、後述するいずれかの再貸出終了条件が成立するまで照合ＯＫの状態を維持し、この間、遊技客は、暗証番号を入力することなく、「再Ｐ」ボタンを押下するか、同じＩＣ付携帯電話端末７０がかざすことにより、貯玉再プレイを継続できる。
【０１８８】
そして、この貯玉再プレイの続行中、貸出処理機１０４は、「再Ｐ」ボタンが所定時間の間操作されなかった場合、貯玉数が“０”になった場合、操作指示ボタン３０３２中の「取消」ボタンか「返却」ボタンが押下された場合、他のＩＣ付携帯電話端末７０がかざされたり、カード（会員カード、あるいは一般カード）が挿入された場合には再貸出終了条件が成立したと判断し、再プレイの処理を終了する制御を行う。
【０１８９】
なお、上記の説明では、暗証番号が“照合ＯＫ”と判定された後、再プレイボタンを押下したり、同じＩＣ付携帯電話端末７０をかざすことにより所定数のパチンコ玉を再貸出する例を挙げたが、テンキー３０３１を用いて再プレイ玉数を入力し、該再プレイ玉数分のパチンコ玉を再貸出するようにしても良い。
【０１９０】
以上のようにして、パチンコ店１０の会員である遊技客は、ＩＣ付携帯電話端末７０（または、ＩＣカード７５）を会員カードの代わりに用いて、会員管理ＴＣ１０１が会員管理テーブル１０１１上で該会員の会員ＩＤに対応して管理する貯玉を用いて再プレイを行うことができる。
【０１９１】
なお、本実施例の貸出処理機１０４によれば、上述したＩＣ付携帯電話端末７０や、ＩＣカード７５を利用しない場合（貨幣やカード媒体を利用する場合）は、突出部３０を貸出処理機１０４の装置本体内に収納した状態で運用することが可能である。
【０１９２】
この場合、図８に示すように突出部３０が突出されている状態から、該突出部３０を矢印Ａ２方向にロック機構３２４によりロックされるまで押し込み、図７に示すように、該突出部３０の前面部が貸出処理機１０４の前面部１０４１と同面上になる収容状態とすれば良い。
【０１９３】
側面にＩＣ内蔵記憶媒体読取部３０１、及びテンキー３０３１や指示操作ボタン３０３２から成る操作部３０３を設けた突出部３０を必要に応じて装置本体から突出し可能に収容した本実施例の貸出処理機１０４の構造によれば、該突出部３０の収容状態（非突出状態）において、突出部３０の側面は収容部３２１内に完全に隠されるため、遊技客にとって、ＩＣ内蔵記憶媒体読取部３０１が目障りになることはなく、また、物理的にも邪魔になることもない。
【０１９４】
この他、本実施例の貸出処理機１０４の運用において、例えば、パチンコ台１０５の窓及び扉の開閉を行う場合や、閉店後の掃除の際にも、突出部３０が突き出した状態にしておくと邪魔になるおそれがあるため、このようなケースにおいてはが貸出処理機１０４の装置本体内に収容した状態にするのが好ましい。
【０１９５】
また、本実施例の貸出処理機１０４によれば、図８に示すように、認証情報（暗証番号）入力などに用いる操作部３０２（テンキー３０３１や指示操作ボタン３０３２）を突出部３０の側面のしかも該突出部３０の付け根側に設けているため、遊技客にとって入力操作が行い易く、しかも、入力操作が他人に見え難いために安心感が得られる。
【０１９６】
また、図８に示す例では、突出部３０の前面部１０４１に情報表示ＬＥＤ３０２１、モード表示ランプ３０２２から成る表示部３０２を設けた構造上、該突出部３０を貸出処理機１０４の装置本体内に収納した時にも、遊技客は、該表示部３０２に表示されている情報を容易に視認できる。
【実施例２】
【０１９７】
図９は、実施例２に係わる貸出処理機１０４Ｂの外観構造を示す斜視図であり、特に、貸出処理機１０４Ｂの前面部１０４１から突出部３０Ｂを突き出した状態での外観構造を示している。
【０１９８】
図９に示す貸出処理機１０４Ｂにおいて、実施例１に係わる各部と同様の機能部には同一の符号を付している。
【０１９９】
本実施の貸出処理機１０４Ｂにおいて、突出部３０Ｂを、該貸出処理機１０４Ｂの装置本体の前面部１０４１から矢印Ａ１方向、及び矢印Ａ２方向にスライド可能に当該貸出処理機１０４Ｂの装置本体内（収容部３２１内）に収容する構成は、実施例１に係わる貸出処理機１０４における突出部３０の収容構造と同一である。
【０２００】
すなわち、本実施例の貸出処理機１０４Ｂにおいて、突出部３０Ｂの収容部３２１内には、１回押す毎にロック状態とロック解除状態とが切り替わるロック機構３２４（不図示）が設けられ、これにより、突出部３０Ｂを矢印Ａ２方向に一杯までスライドさせ、ロックバー３１２（不図示）によりロック機構３２４（不図示）をロックさせて、該突出部３０Ｂを、弾性部材３２３（不図示）の付勢力に抗して収容部３２１（点線で示す）内に収容される位置状態に固定することができると共に、このロック状態（収容状態）において、突出部３０Ｂを再度矢印Ａ２方向に押し込むことによりロック解除状態とし、図９に実線で示すように、該突出部３０Ｂを弾性部材３２３（不図示）の付勢力により矢印Ａ１方向に付勢することで、貸出処理機１０４Ｂの前面部１０４１から突き出された位置状態に固定可能な構造を有する。
【０２０１】
但し、この貸出処理機１０４Ｂにおいて、突出部３０Ｂは、実施例１に係わる貸出処理機１０４の突出部３０と異なる構造として、前方部分と後方部分とが鉛直方向に延びる回転ヒンジ３３１を介して連結され、図９に実線で示すように突出部３０Ｂを貸出処理機１０４Ｂから突き出した状態で、後方部分に対して前方部分を上記回転ヒンジ３３１を回転軸として同図の矢印Ｂ１方向と矢印Ｂ２方向（水平方向）とに回動可能な構造を有する。
【０２０２】
また、この突出部３０Ｂにおいて、その前面部には、実施例１に係る突出部３０と同等の表示部３０２（情報表示ＬＥＤ３０２１，モード表示ランプ３０２２から成る）が設けられ、前方部分のパチンコ台１０５側の側面（図９の紙面に向かって見た時の右側の側面）には、実施例１に係る突出部３０と同等のＩＣ内蔵記憶媒体読取部３０１、及び操作部３０３（テンキー３０３１，操作指示ボタン３０３２から成る）が設けられる。
【０２０３】
図１０は、本実施例に係わる貸出処理機１０４Ｂにおける突出部３０Ｂの動作イメージを示す概念図である。
【０２０４】
ここで、図１０（ａ）は、突出部３０Ｂを貸出処理機１０４Ｂに設けられる収容部３２１内に収納された状態を示している。
【０２０５】
また、図１０（ｂ）は、貸出処理機１０４Ｂから突出部３０Ｂを突き出した状態（図９参照）で、該突出部３０Ｂの前方部分を回転ヒンジ３３１を回転軸として矢印Ｂ１方向に回動させた状態を示し、図１０（ｃ）は、同じく、貸出処理機１０４Ｂから突出部３０Ｂを突き出した状態で、該突出部３０Ｂの前方部分を回転ヒンジ３３１を回転軸として矢印Ｂ２方向に回動させた状態を示している。
【０２０６】
本実施例の貸出処理機１０４Ｂによれば、遊技客は、図１０（ｂ）に示す位置から図１０（ｃ）に示す位置までの間のどの回動位置〔図１０（ａ）に示す如く回動させていない位置も含む〕においても、突出部３０Ｂの側面に設けたＩＣ内蔵記憶媒体読取部３０１、及び操作部３０３（テンキー３０３１、操作指示ボタン３０３２から成る）を用い、実施例１で述べた方法によって、ＩＣ内蔵記憶媒体（ＩＣ付携帯電話端末７０、あるいはＩＣカード７５）を用いて、遊技媒体の貸出操作、あるいは、貯玉再プレイ操作を行うことができる。
【０２０７】
特に、回転ヒンジにより水平方向に回動可能な突出部３０Ｂを有する本実施例の貸出処理機１０４Ｂによれば、突出部３０Ｂが垂直に突出した状態で操作がし難い場合に、該突出部３０Ｂの角度を適宜に変えることにより操作性を確保できる。
【０２０８】
また、誤って遊技台の扉及び窓を開けた場合に、該扉及び窓が突出し状態にある突出部３０Ｂに当たったとしても、該突出部３０Ｂが水平方向に稼動するので壊れにくい。
【実施例３】
【０２０９】
図１１は、実施例３に係わる貸出処理機１０４Ｃの外観構造を示す斜視図であり、特に、貸出処理機１０４Ｃの前面部１０４１から突出部３０Ｃを突き出した状態での外観構造を示している。
【０２１０】
本実施例の貸出処理機１０４Ｃは、対応する遊技機１０５であるスロット遊技機（不図示）への遊技媒体（メダル）の貸出処理を行うものである。
【０２１１】
この貸出処理機１０４Ｃは、装置本体の前面部１０４１にメダル貸出処理に必要な状態表示部、紙幣挿入口、カード挿入口等、種々の構成要素が備わるが、図１１においては、前面部１０４１に設けられる構成要素のうち、突出部３０Ｃ以外の構成要素については図示を省略している。
【０２１２】
本実施例のように、スロット遊技機に併設される貸出処理機１０４Ｃは、パチンコ台１０５に併設される貸出処理機１０４（実施例１，２参照）よりも、台間方向に広い幅を有するのが一般的である。
【０２１３】
本実施例では、貸出処理機１０４Ｃの上述した幅を活かし、図１１に示すように、突出部３０Ｃを、パチンコ台１０５に併設される貸出処理機１０４の突出部３０（実施例１）よりも幅が広い方形形状とし、該突出部３０Ｃを貸出処理機１０４Ｃの装置本体の前面部１０４１から該前面部１０４１の面と直交する方向（矢印Ａ１方向、及び矢印Ａ２方向にスライド可能に当該貸出処理機１０４Ｃの装置本体内（収容部３２１内）に収容する構成としている。
【０２１４】
ここで、貸出処理機１０４Ｃに対する突出部３０Ｃの収容構造は、実施例１に係わる貸出処理機１０４における突出部３０の収容構造（図５、図６参照）と同一の構造により実現できる。
【０２１５】
また、本実施例の貸出処理機１０４Ｃの突出部３０Ｃでは、その前面部に、実施例１に係る突出部３０の表示部３０２に対応し、メダル貸出処理に係わる各種の数値やモード等を表示する表示部３０２ｃが設けられる。
【０２１６】
また、本実施例の貸出処理機１０４Ｃの突出部３０Ｃにおいて、その上面部には、実施例１に係わる突出部３０に設けられるものと同等のＩＣ内蔵記憶媒体読取部３０１、実施例１に係る突出部３０の操作部３０３に対応し、暗証番号等の入力を行うテンキーや、メダル貸出処理に係わる各種操作の指示を行う操作指示ボタンから成る操作部３０３ｃが設けられる。
【０２１７】
本実施例の貸出処理機１０４Ｃによれば、遊技客は、突出部３０Ｃを図１１に点線で示す収容部３２１内に収納した状態から図１１に実線で示す突出位置へと突出させた状態で、該突出部３０Ｃの上面に設けたＩＣ内蔵記憶媒体読取部３０１、及び操作部３０３ｃを用い、ＩＣ付携帯電話端末７０、あるいはＩＣカード７５を用いて、対応するスロット遊技機に対する遊技媒体（メダル）の貸出操作を行うことができる。
【０２１８】
この他、本発明は、上記し、且つ図面に示す実施例に限定することなく、その要旨を変更しない範囲内で適宜変形して実施できるものである。
【０２１９】
例えば、本発明では、装置本体の一部に前方へ突出可能に設けた突出部３０の各面を利用してこれまでより広いスペースを確保するという主旨を逸脱しない限りは、ＩＣ内蔵記憶媒体読取部３０１、表示部３０２、操作部３０３を設ける面は上述した例に限らず、適宜な面に設けるようにしても良い。
【０２２０】
また、実施例１及び２では、貯玉プレイ時に対応する遊技機（パチンコ台）１０５の受け皿４１に玉を投出する玉投出機構２５（ノズル２５１）を備える貸出処理機１０４に突出部３０，３０Ｂを設ける構成例を挙げたが、これに限らず、貯玉プレイ時に上記ノズルを用いずにパチンコ台に玉の投出を行う玉投出機構を有する貸出処理機に突出部３０，３０Ｂを設ける構成にも適用できる。
【０２２１】
また、上記各実施例において、突出部３０，３０Ｂ，３０Ｃのスライド機構（スライド駆動部３０４）は、スライドレール、バネ付勢、及び１回押す毎にロック状態とロック解除状態が切り替るロック機構とにより実現しているが、これに限らず、スライドレールを前下がりに傾斜させて配置させる一方で、滑り出し停止スイッチを設け、該滑り出し停止スイッチを解除すると突出部が自重で所定位置まで突き出る構造や、操作スイッチと、該操作スイッチのオン／オフ操作によりオン／オフ駆動するモータとを用い、突出部をスライドレール上でモータを駆動源として突出し方向、収納方向に駆動する構成としても良い。
【０２２２】
また、本発明は、上記各実施例で挙げたＩＣ機能に限らず、例えば、電子マネー機能を備えた携帯電話端末やカード等の媒体を用い、該媒体の情報読取部にかざすことで当該媒体から電子マネー価値を読出し、該電子マネー価値を使って玉貸しを行う構成とすることも可能である。
【０２２３】
同様に、本発明では、貯玉情報やプリペイド価値情報を、携帯電話端末内に記憶しておき、利用時には、該携帯電話端末から貯玉情報やプリペイド価値情報を読み出して減算更新しながら玉貸しを実施する構成としても良い。
【産業上の利用可能性】
【０２２４】
本発明は、パチンコ遊技台やスロット遊技台等の遊技台の間に設置され、集積回路内蔵記憶媒体を受け入れて対応する遊技台に遊技媒体を貸出す処理を行う遊技媒体貸出処理装置に適用できる。
【図面の簡単な説明】
【０２２５】
【図１】本発明に係わる遊技媒体貸出システムのシステム構成図。
【図２】会員管理及びカード管理ＴＣにおける有価価値管理テーブルの構成を示す表図。
【図３】実施例１に係わる貸出処理機の機能構成を示すブロック図。
【図４】貸出処理機と対応する遊技機の装置構成を示す図である。
【図５】貸出処理機の前面部における突出部形成位置近傍の正面構造を示す概念図。
【図６】図５のＤ−Ｄ線による断面構造を示す概念図。
【図７】実施例１に係わる貸出処理機の突出部非突出状態での外観構造を示す斜視図。
【図８】実施例１に係わる貸出処理機の突出部突出状態での外観構造を示す斜視図。
【図９】実施例２に係わる貸出処理機の突出部突出状態での外観構造を示す斜視図。
【図１０】実施例２に係わる貸出処理機の突出部の動作イメージを示す概念図。
【図１１】実施例３に係わる貸出処理機の突出部突出状態での外観構造を示す斜視図。
【符号の説明】
【０２２６】
１０…遊技店（パチンコ店）、１０１…会員管理ＴＣ（ターミナル・コントローラ）、１０１１…会員管理テーブル、１０２…カード管理ＴＣ（ターミナル・コントローラ）、１０２１…カード管理テーブル、１０３…島コントローラ、１０４，１０４Ｂ，１０４Ｃ…貸出処理機、１０４１…装置本体前面部、２１…状態表示部、２２…リモコン受光部、２３…紙幣処理部、２４…カード処理部、２５…玉投出機構、２６…記憶部、２７…電源部、２８…第１通信部、２９…第２通信部、３０，３０Ｂ，３０Ｃ…突出部、３０１…ＩＣ内蔵記憶媒体読取部、３０２，３０２Ｃ…表示部、３０２１…情報表示ＬＥＤ（ダイオード）、３０２２…モード表示ランプ、３０３，３０３Ｃ…操作部、３０３１…テンキー、３０３２…操作指示ボタン、３０４…スライド駆動部、３１１…スライドバー、３１２…ロックバー、３２１…突出部収容部、３２２…スライドレール、３２３…弾性部材、３３１…回転ヒンジ、３１…貸出制御部、１０５…遊技機（パチンコ台）、４１…受け皿、４２…表示部、４３…玉貸ボタン、４４…カード返却ボタン、４５…玉投出機構、１０６…カード発行機、１０７…カード精算機、１０８…会員カード処理機、１０９…玉計数機、５０…公衆回線網、６０…店外設備、７０…ＩＣ付携帯電話端末、７５…ＩＣカード
【図１】
2009261460.tif 000003
【図２】
2009261460.tif 000004
【図３】
2009261460.tif 000005
【図４】
2009261460.tif 000006
【図５】
2009261460.tif 000007
【図６】
2009261460.tif 000008
【図７】
2009261460.tif 000009
【図８】
2009261460.tif 000010
【図９】
2009261460.tif 000011
【図１０】
2009261460.tif 000012
【図１１】
2009261460.tif 000013